(57)【特許請求の範囲】
【請求項１】
基板となる部分と、仕切壁となる部分とを、紙シートに切込を入れて形成し、仕切壁となる部分は、基板となる部分に順次連続した立上板となる部分及び折返片となる部分から構成し、複数の仕切壁となる部分を、立上板となる部分及び折返片となる部分の連設方向に配列し、この紙シートをプレス型の間に挟み、紙シートの表裏がそれぞれプレス型の対向面に沿うようにプレス成形加工して、立上板が基板に対して垂直より小さい角度で起立し、かつ折返片が斜め下方へ迫り出すように塑性変形させた破れのない紙シート成形体。
【発明の詳細な説明】
【０００１】
【発明の属する技術分野】
この発明は、紙シートをプレス加工で成形した包装用緩衝材、仕切材その他の紙シート成形体に関するものである。
【０００２】
【従来の技術】
例えば、ギフト用の包装に際し、商品を区画して収納するため、図９に示すように、箱５０に仕切５１が内挿されることがある。この仕切５１は、段ボールの紙シート５２に罫線５３，５４を入れ、この紙シート５２を罫線５３，５４に沿って折り曲げることにより、仕切壁５５と収納部５６とを形成したものである。
【０００３】
【発明が解決しようとする課題】
このような仕切５１は、容易に製造できるが、商品の大きさにばらつきがある場合、仕切壁５５と商品との間に隙間が生じて、商品ががたつき、十分な緩衝性が得られないという問題がある。
【０００４】
そこで、この発明は、紙シートを塑性変形させるプレス加工により、収納物の保持性や緩衝性に優れた成形体を製造しようとするものである。
【０００５】
【課題を解決するための手段】
上記課題を解決するため、この発明では、基板に切込を入れて、仕切壁の立上板及び折返片をなす部分を順次形成し、プレスにより立上板を基板に対して垂直より小さい角度で起立させ、折返片を迫り出すように斜め下方へ折り曲げた紙シート成形体を提供する。
【０００６】
この成形体を仕切として使用する場合、折返片に商品を当接させて、立上板を起立方向に押圧しつつ商品を収納すると、折曲部の弾性により折返片が商品に密着し、商品が確実に保持されて、優れた緩衝性が得られ、大きさの異なる複数種の商品にも対応できる。
【０００７】
また、この成形体は、立上板と折返片とが開いた角度をなすので、多数積み上げて嵩張ることなく保管することができる。
【０００８】
さらに、前記立上板の基端折曲部にリブを形成すると、立上板がより確実に支えられて保形性が向上し、積上保管時における横ずれも防止される。
【０００９】
また、この成形体の製造に際し、折曲予定部の根元から少しずらして折目線を入れておくと、プレス時に紙シートのずれが防止されるので、正確な位置での折曲が可能となり、折目線で引張力が軽減され、皺や破れの発生も防止される。
【００１０】
また、前記基板から外側へ順次延長した立上板及び折返片をプレスして、前記切込による基板内部の仕切壁と共に、基板外部にも仕切壁を形成できる。
【００１１】
さらに、複数の仕切壁を横に並べる場合でも、隣り合う仕切壁は互いに影響を受けないので、仕切壁を千鳥状に配置することができる。
【００１２】
【発明の実施の形態】
以下、この発明の実施の形態を添付図面に基づいて説明する。
【００１３】
図１に示す仕切は、段ボールシートを材料とし、基板１に複数の切込２を入れてプレスすることにより、各仕切壁８の立上板３を基板１に対して垂直より小さい角度で起立させ、その上端から延びる折返片４を迫り出すように斜め下方へ折り曲げ、立上板３の基端折曲部にリブ５を形成した形状となっている。
【００１４】
この仕切材のブランクでは、図２に示すように、各仕切壁８を形成するため切込２が入れられ、その立上板３及び折返片４をなす部分において、折曲予定部の根元から少しずらして折目線６，７が入れられている。この折目線６，７は、通常、押罫とするが、切目と折目が交互に並ぶリード罫としてもよい。
【００１５】
このようなブランクを、図３に示すように、下型Ｌと上型Ｕの間に挟んでプレスすると、プレスの初期段階で、紙シートが折目線６，７に沿って折れ曲がり始めるので、紙シートのずれが防止され、正確な位置での折曲が可能となり、折目線６，７で引張力が軽減され、皺や破れの発生も防止される。
【００１６】
また、この仕切は、図４に示すように、立上板３と折返片４とが開いた角度をなすので、多数積み上げて嵩張ることなく保管することもできる。
【００１７】
そして、図５に示すように、この仕切を箱Ｂにセットして商品Ｃを詰める際、折返片４に商品Ｃを当接させて、立上板３を起立方向に押圧しつつ商品Ｃを収納すると、折曲部の弾性により折返片４が商品Ｃに密着し、商品Ｃが確実に保持されて、優れた緩衝性が得られる。
【００１８】
また、商品Ｃの大きさにばらつきがあっても、立上板３及び折返片４が弾力的に商品Ｃに密着して、各サイズの商品Ｃがそれぞれ保持されるので、多数種の仕切を用意することなく、様々な商品Ｃを詰め合わせることができる。
【００１９】
なお、図１の仕切では、リブ５を設けているため、立上板３が確実に支えられて保形され、積上保管時における横ずれも防止されるようになっているが、図６に示すように、リブ５を省略しても、その形状は保持される。
【００２０】
また、立上板３は、基端部が一旦下方へ折れ曲がって立ち上がるようにしてもよく、折返片４は、先端部をさらに上方へ折り返してもよい。これにより、箱や商品の大きさに応じて、寸法や緩衝性を調整することができる。
【００２１】
なお、図７に示すように、仕切壁８は、基板１の内部に切込２を入れて形成するだけでなく、基板１の外部に立上板３及び折返片４をなす部分を延設し、その部分をプレスして形成してもよい。
【００２２】
また、図８に示すように、複数の仕切壁８を横に並べる場合、隣り合う仕切壁８は、プレスに際し、互いに影響を受けないので、仕切壁８を千鳥状に配置することもできる。
【００２３】
【発明の効果】
以上のように、この発明に係る紙シート成形体では、プレスにより立上板を基板に対して垂直より小さい角度で起立させ、折返片を迫り出すように斜め下方へ折り曲げたので、この成形体を仕切として使用した場合、折返片が収納した商品に弾力的に密着し、商品が確実に保持されて、優れた緩衝性が得られ、大きさの異なる複数種の商品にも対応できる。
【００２４】
また、この成形体は、立上板と折返片とが開いた角度をなすので、多数積み上げて嵩張ることなく保管することができる。
【００２５】
さらに、前記立上板の基端折曲部にリブを形成すると、立上板がより確実に支えられて保形性が向上し、積上保管時における横ずれも防止される。
【００２６】
また、この成形体の製造に際し、折曲予定部の根元から少しずらして折目線を入れておくと、プレス時に紙シートのずれが防止されるので、正確な位置での折曲が可能となり、折目線で引張力が軽減され、皺や破れの発生も防止される。
【００２７】
また、前記基板から外側へ順次延長した立上板及び折返片をプレスして、前記切込による基板内部の仕切壁と共に、基板外部にも仕切壁を形成できる。
【００２８】
さらに、複数の仕切壁を横に並べる場合でも、隣り合う仕切壁は互いに影響を受けないので、仕切壁を千鳥状に配置することができる。
【図面の簡単な説明】
【図１】この発明に係る成形体の第１実施形態を示す斜視図
【図２】同上のブランクを示す平面図
【図３】同上のプレス状態を示す断面図
【図４】同上の仕切の積上保管状態を示す概略図
【図５】同上の使用状態を示す断面図
【図６】同上のリブを省略した仕切を示す斜視図
【図７】この発明の第２実施形態を示す斜視図
【図８】この発明の第３実施形態を示す斜視図
【図９】従来の仕切を示す斜視図
【符号の説明】
１  基板
２  切込
３  立上板
４  折返片
５  リブ
６，７  折目線
８  仕切壁
【図１】
0003710448.tif 000002
【図２】
0003710448.tif 000003
【図３】
0003710448.tif 000004
【図４】
0003710448.tif 000005
【図５】
0003710448.tif 000006
【図６】
0003710448.tif 000007
【図７】
0003710448.tif 000008
【図８】
0003710448.tif 000009
【図９】
0003710448.tif 000010